(57)【特許請求の範囲】
【請求項１】
円筒状の本体部を有し、この本体部の両端側が封止され、内部に８０〜９５容積％のキセノンガスおよび５〜２０容積％の窒素ガスが封入圧力８６〜１２０ＫＰａとなるよう封入されたガラスバルブと；
ガラスバルブの中心軸に沿うように配設されて発光部が形成されたフィラメントと；
ガラスバルブの一端側にそれぞれの一端が封着されているとともに、ガラスバルブの中心軸を挟んでガラスバルブの一端側から互いに平行に延在する第１および第２のリード線からなり、第１のリード線の他端側がガラスバルブの長手方向に対して直交するように略直角に折曲されてフィラメントの一端側を支持し、第２のリード線は、ガラスバルブ中心軸に平行するとともにガラスバルブの中心軸に近接した一端側から第１のリード線の他端側の先端と対向する直線部を介して折曲され、ガラスバルブ中心軸と平行しているとともに一端側よりもガラス中心軸から離間した他端側がフィラメントの他端側まで延在しており、他端側にてフィラメントの他端側を支持し、第１のリード線の他端側先端と前記第２のリード線の直線部との最小距離が２．５ｍｍ以上となるように構成されているフィラメント支持体と；
フィラメント支持体の第１および第２のリード線と電気的に接続された口金を有しガラスバルブの一端側に固着されているベース部と；
を具備していることを特徴とする白熱電球。
【発明の詳細な説明】
【技術分野】
【０００１】
本発明は、キセノンガスを封入した白熱電球およびこの白熱電球を配設する照明器具に関する。
【背景技術】
【０００２】
白熱電球は、一般に、フィラメント温度を上げると発光効率が改善されることが知られている。そして、封入ガスの分子量が大きいほどガラスバルブでの熱損失が低下し、フィラメントの温度が高くなることが知られている。このため、アルゴンガスやクリプトンガスに代えて、分子量の大きいキセノンガスを封入する白熱電球が実用化されている。一方、キセノンガスは、イオン化電圧が低く、ガラスバルブでの封入量が増加すると、フィラメント巻線間、内部リード線間またはフィラメント巻線と内部リード線との間にアーク放電が発生して、フィラメント巻線または内部リード線が溶断しやすくなるという問題がある。
【０００３】
上記問題を解決するものとして、例えば、一対の内部導入線の少なくとも一方に絶縁体を被覆する白熱電球が提案されている（特許文献１参照。）。この従来技術の白熱電球は、チューブ状の硬質ガラスからなる絶縁体を被覆した内部導入線とフィラメントまたは内部導入線との間に電位差が生じず、不活性ガス（キセノンガスなど）がイオン化されにくくなるので、アーク放電の発生を防止できるというものである。
【０００４】
また、発光部の封止部側の端部とこの端部に電気接続されていない内部リード棒との最短距離を、封止部の内端面から発光部の封止部側の端面に至る空間に存在する前記内部リード棒の長さに０．３乗じた値以上とする白熱電球が提案されている（特許文献２参照。）。この従来技術の白熱電球は、前記最短距離が設定されることにより、フィラメントの発光部と前記内部リード棒との間にアーク放電を生じさせないというものである。
【特許文献１】特開平４−１３８６５４号公報（第２頁、第１図）
【特許文献２】特開平１１−９６９７６号公報（第３頁、第１図）
【発明の開示】
【発明が解決しようとする課題】
【０００５】
特許文献１の白熱電球は、内部導入線に絶縁体を設けるので、その配設作業を要し、高価になるという欠点を有する。また、電球用ソケットへの白熱電球の装着方向によっては、チューブ状の硬質ガラスが内部導入線に沿って移動することが考えられ、絶縁機能を発揮しないおそれがあり、硬質ガラスの重量によって内部導入線が撓むおそれがある。
【０００６】
また、特許文献２の白熱電球は、フィラメントの発光部と内部リード棒との間にアーク放電が生じないように前記最短距離が設定されることにより、発光部の封止部側の端部に接続されている内部リード棒と、前記最短距離を有して配設されている内部リード棒との間隔が大きくなっている。内部リード棒同士の間隔が大きくなることにより、ガラスバルブの長手方向に対する封止部の幅が大きくなり、ガラスバルブ（発光管）が大きくなる。これにより、白熱電球が大形化するという欠点を有する。
【０００７】
本発明は、リード線間にアーク放電が発生しにくく、かつ小形であって発光効率が良好な白熱電球およびこの白熱電球を配設する照明器具を提供することを目的とする。
【課題を解決するための手段】
【０００８】
請求項１記載の白熱電球の発明は、円筒状の本体部を有し、この本体部の両端側が封止され、内部に８０〜９５容積％のキセノンガスおよび５〜２０容積％の窒素ガスが封入圧力８６〜１２０ＫＰａとなるよう封入されたガラスバルブと；ガラスバルブの中心軸に沿うように配設されて発光部が形成されたフィラメントと；ガラスバルブの一端側にそれぞれの一端が封着されているとともに、ガラスバルブの中心軸を挟んでガラスバルブの一端側から互いに平行に延在する第１および第２のリード線からなり、第１のリード線の他端側がガラスバルブの長手方向に対して直交するように略直角に折曲されてフィラメントの一端側を支持し、第２のリード線は、ガラスバルブ中心軸に平行するとともにガラスバルブの中心軸に近接した一端側から第１のリード線の他端側の先端と対向する直線部を介して折曲され、ガラスバルブ中心軸と平行しているとともに一端側よりもガラス中心軸から離間した他端側がフィラメントの他端側まで延在しており、他端側にてフィラメントの他端側を支持し、第１のリード線の他端側先端と前記第２のリード線の直線部との最小距離が２．５ｍｍ以上となるように構成されているフィラメント支持体と；フィラメント支持体の第１および第２のリード線と電気的に接続された口金を有しガラスバルブの一端側に固着されているベース部と；を具備していることを特徴とする白熱電球。
【０００９】
本発明および以下の各発明において、特に言及しない限り、各構成は以下による。
【００１０】
キセノンガスが８０容積％を下回ると、フィラメントの構成物例えばタングステンの蒸発が早くなってフィラメントが細ることにより、フィラメントが断線しやすくなる。また、キセノンガスが９５容積％を上回ると、フィラメント巻線間にアーク放電が発生しやすくなる。したがって、キセノンガスは、ガラスバルブの内部に８０〜９５容積％封入する。窒素ガスの封入割合５〜２０容積％は、キセノンガスの封入量に対する残余の割合を示す。
【００１１】
「第１のリード線が略直角に折曲され」の略直角とは、厳密な直角でないことを意味している。また、「互いに平行に延在する」の平行とは、厳密な（幾何学的な）平行を意味するものではない。
【００１２】
「第１のリード線の他端側の先端」とは、第１のリード線の他端側の第２のリード線に最も近い部位をいう。そして、第１のリード線の他端側の先端と第２のリード線との最小距離が２．５ｍｍ以上のとき、当該両者間にアーク放電が発生しにくいことが確認された。当該最小距離の上限値は、ガラスバルブの本体部の大きさなどにより、適宜決定されるものであるが、ガラスバルブの小形化を勘案すると、５．０ｍｍが好ましい。
【００１３】
本発明によれば、第１および第２のリード線間にアーク放電が発生することを抑制するために、第２のリード線の他端側と第１のリード線の他端側の先端との最小距離が２．５ｍｍ以上となるようにしても、ガラスバルブの一端側の封着部から互いに平行に延在する第１および第２のリード線の長さを短くできる。すなわち、前記封着部からフィラメントの一端側までの距離を小さくすることができて、かつ互いに平行となっている第１および第２のリード線間にアーク放電が発生しないよう第１および第２のリード線の間隔を小さくできるので、ガラスバルブの一端側を大きくすることなく、白熱電球を小形化することができる。
【００１４】
仮に、第２のリード線の他端側が第１のリード線の他端側よりもガラスバルブの一端側の位置から第１のリード線に接近する方向に折曲されると、ガラスバルブの一端側から延在する第１および第２のリード線が互いに平行になる位置がフィラメントの一端側から遠ざかり、前記封着部からフィラメントの一端側までの距離が大きくなって、ガラスバルブが小形化されにくい。
【００１５】
また、ガラスバルブの一端側の内径は、一端側に近づくにしたがって小さくなるように形成されるため、第２のリード線を第１のリード線の他端側よりもガラスバルブの一端側の位置において第１のリード線から離間する方向に略直角に折曲すると、第２のリード線の折曲部が小径なガラスバルブの内面に近づいて接触するおそれがある。これを回避するには、ガラスバルブの内径を大きくする必要があり、結果としてガラスバルブの大形化につながってしまう。
【００１６】
そして、本発明は、ガラスバルブ内に８０〜９５容積％のキセノンガスおよび５〜２０容積％の窒素ガスが封入されることにより、フィラメント温度が上昇し、フィラメントからの構成物の蒸発が抑制されて、発光効率が良好であって、所定の寿命が得られる。
【００１７】
請求項２に記載の白熱電球の発明は、請求項１記載の白熱電球において、一端側がフィラメントの発光部の長手方向の略中央部に配設されてフィラメントの振れを規制するとともに、他端側がガラスバルブの一端側に支持されているアンカー線と；を具備していることを特徴とする。
【００１８】
アンカー線は、一端側で発光部を支持してもよく、発光部が大きく振れないように発光部を包囲していてもよい。
【００１９】
本発明によれば、フィラメントに衝撃が加わってもアンカー線がフィラメントの振れを規制する結果、フィラメントが大きく振動することはなく、フィラメントのコイルピッチが変化しにくい。これにより、部分的にフィラメントのコイル間が縮まって、フィラメントコイル間にアーク放電が発生することが抑制される。
【００２０】
請求項３に記載の照明器具の発明は、請求項１または２記載の白熱電球と；この白熱電球が装着されるランプソケットと；ランプソケットを配設している器具本体と；を具備していることを特徴とする。
【００２１】
本発明によれば、請求項１または２記載の白熱電球を具備する照明器具が提供される。
【発明の効果】
【００２２】
請求項１の発明によれば、第２のリード線と第１のリード線の他端側の先端との最小距離を２．５ｍｍ以上として、第２のリード線の他端側が第１のリード線の他端側よりもガラスバルブの他端側の位置から第１のリード線に接近する方向に折曲されることにより、第１および第２のリード線間にアーク放電が発生することを抑制できるとともに、ガラスバルブの小形化により白熱電球を小形化することができる。
【００２３】
請求項２の発明によれば、アンカー線がフィラメントの振れを規制して、フィラメントコイル間にアーク放電が発生することを抑制するので、フィラメントのアーク放電による断線を抑制することができて、白熱電球を長寿命にすることができる。
【００２４】
請求項３の発明によれば、請求項１または２記載の白熱電球を具備する照明器具を提供することができる。
【発明を実施するための最良の形態】
【００２５】
以下、本発明の一実施の形態について、図面を参照して説明する。まず、本発明の第１の実施形態について説明する。
【００２６】
図１および図２は、本発明の第１の実施形態を示し、図１は白熱電球であり、（ａ）は一部切り欠き概略正面図、（ｂ）は一部切り欠き概略側面図、図２はフィラメントおよびフィラメント支持体の配設図である。
【００２７】
図１において、白熱電球１は、ガラスバルブ２、フィラメント３、第１のリード線４、第２のリード線５、アンカー線６およびベース部７を有して構成されている。第１のリード線４および第２のリード線５は、フィラメント支持体８を形成している。
【００２８】
ガラスバルブ２は、例えば硬質ガラスからなり、両端側９ａ，９ｂが封止された円筒状の本体部９を有している。本体部９の一端側９ａは、第１のリード線４、第２のリード線５およびアンカー線６を圧潰封止して封止部１０が形成され、他端側９ｂは、排気管を封止している。本体部９の一端側９ａは、ガラスバルブ２の一端側となっており、他端側９ｂは、ガラスバルブ２の他端側となっている。
【００２９】
本体部９の他端側９ｂは、封止前に排気管が溶着されている。この排気管から本体部９の内部が排気された後、キセノン（Ｘｅ）ガスおよび窒素（Ｎ２）ガスが封入され、この後、排気管がチップオフされている。そして、本体部９の内部に、キセノンガスが８０〜９５容積％、窒素ガスが５〜２０容積％となるように封入されている。封入圧力は、８６〜１２０ＫＰａ（パスカル）となっている。
【００３０】
フィラメント３は、タングステン線からなり、二重コイル部３ａおよびレグ部３ｂ，３ｃに形成され、ガラスバルブ２の本体部９の長手方向の中心軸Ａに沿うように配設されている。二重コイル部３ａは、フィラメント３の発光部となるものであり、その全長が１０〜１５ｍｍとなるように形成されている。レグ部３ｂは、フィラメント３の一端側、レグ部３ｃは、フィラメント３の他端側となっている。タングステン線の素線径は、例えば０．０２〜０．０２５ｍｍである。
【００３１】
第１および第２のリード線４，５は、それぞれ例えばモリブデン（Ｍｏ）線であり、それぞれの一端側４ａ，５ａがガラスバルブ２の一端側９ａに封着されている。また、第１および第２のリード線４，５は、フィラメント３がガラスバルブ２の本体部９の中心軸Ａに沿うようにフィラメント３の両端側３ｂ，３ｃをそれぞれ支持している。
【００３２】
そして、図２に示すように、第１および第２のリード線４，５は、ガラスバルブ２の中心軸Ａを挟んでガラスバルブ２の一端側９ａの封止部１０から所定の間隔Ｌ１（例えば２．５ｍｍ）を有して互いに平行に延在している。そして、第１のリード線４は、フィラメント３の一端側３ｂの位置まで延在され、他端側４ｂがガラスバルブ２の長手方向に対して直交するように略直角に折曲されてフィラメントの３の一端側のレグ部３ｂを挟持（支持）している。
【００３３】
また、第２のリード線５は、他端側５ｂが折曲されてフィラメント３の他端側３ｃの位置まで延在され、ガラスバルブ２の長手方向に対して直交するように略直角に折曲されてフィラメントの３の他端側のレグ部３ｃを挟持（支持）している。第２のリード線５の他端側５ｂは、第１のリード線４の他端側４ｂよりもガラスバルブ２の他端側９ｂの位置である折曲部１１ａから、第１のリード線４の他端側４ｂの先端４ｂｂとの最小距離Ｌ２が２．５ｍｍ以上になるようにして第１のリード線４に接近する方向に折曲されている。そして、第２のリード線５は、折曲部１１ｂにおいて、第１のリード線４と互いに平行となっている。なお、図２において、アンカー線６およびガラスバルブ２の一部などは、省略している。
【００３４】
図１において、アンカー線６は、例えば素線径０．１〜０．３ｍｍのモリブデン（Ｍｏ）線であり、一端側６ａがフィラメント３の二重コイル部（発光部）３ａの長手方向の略中央部に配設され、他端側６ｂがガラスバルブ２の一端側９ａの封止部１０に支持（封着）されている。封止部１０において、アンカー線６は、フィラメント支持体８の第１および第２のリード線４，５と非導通にされている。そして、アンカー線６の一端側６ａは、二重コイル部（発光部）３ａの二重コイルを包囲して引っ掛けている。
【００３５】
外部からの衝撃がフィラメント３に加わると、フィラメント３が振動するように作用する。しかし、フィラメント３の発光部３ａの長手方向の略中央部がアンカー線６の一端側６ａに支持され、他端側６ｂがガラスバルブ２の一端側９ａに支持されていることにより、フィラメント３は、アンカー線６の一端側６ａとともに振動することになる。この結果、フィラメント３の発光部３ａが振動しにくくなり、その振れは小さくなる。このように、アンカー線６は、フィラメント３の振れを規制する。
【００３６】
ベース部７は、略円筒状のセラミックスからなり、一端側７ａにガラスバルブ２の一端側９ａをシリコーン樹脂などの充填材１２で固着し、他端側７ｂに例えばＥ１７形の口金１３を配設している。ガラスバルブ２の一端側９ａから第１および第２のリード線４，５のそれぞれの一端側４ａ，５ａが導出されており、ベース部７の内部において、第１および第２のリード線４，５は、口金１３のシェル部１３ａおよびアイレット部１３ｂにそれぞれ電気的に接続されている。
【００３７】
白熱電球１は、例えば電源電圧１１０Ｖ用のランプ電力４０Ｗに形成されている。
【００３８】
次に、本発明の第１の実施形態の作用について述べる。
【００３９】
図２おいて、フィラメント支持体８である第２のリード線５の他端側５ｂは、第１のリード線４の他端側４ｂよりもガラスバルブ２の他端側９ｂの位置から第１のリード線４に接近する方向に折曲されているので、第１および第２のリード線４，５が所定の間隔Ｌ１（例えば２．５ｍｍ）を有して互いに平行となる折曲部１１ｂの位置がフィラメント３の一端側３ｂの側に位置するようになる。すなわち、第２のリード線５は、封止部１０から折曲部１１ｂまでの延在する長さを短くすることができ、これにより、第１のリード線４も封止部１０から延在する長さを短くすることができる。この結果、封止部１０（ガラスバルブ２の一端側９ａ）からフィラメント３の一端側３ｂまでの距離Ｌ３が小さくなる。
【００４０】
そして、第２のリード線５の折曲部１１ａの位置をさらにガラスバルブ２の他端側９ｂ（フィラメント３の他端側３ｃの方向）にすると、第２のリード線５の折曲部１１ｂがフィラメント３の一端側３ｂに近づくので、第１および第２のリード線４，５の封止部１０から延在する長さを短くすることができて、封止部１０からフィラメント３の一端側３ｂまでの距離Ｌ３をさらに小さくすることができる。
【００４１】
しかし、第２のリード線５の折曲部１１ａの位置をさらにガラスバルブ２の他端側９ｂ（フィラメント３の他端側３ｃの方向）にすると、第２のリード線５と第１のリード線４の他端側４ｂの先端４ｂｂとの最小距離Ｌ２が小さくなり、第２のリード線５と当該先端４ｂｂとの間にアーク放電が発生するようになる。
【００４２】
本発明者は、本発明の白熱電球１と同様に構成されたサンプルで、定格電源電圧（１１０Ｖ）の１２０％の電圧を口金１３に印加する試験を行い、前記最小距離Ｌ２に対するアーク放電の有無およびアーク放電による第１および第２のリード線４，５の断線の有無を調べた。その結果、前記最小距離Ｌ２が２．０ｍｍのとき、２００個のサンプルに対して１０％の２０個にアーク放電および断線が発生した。一方、前記最小距離Ｌ２が２．５ｍｍのときは、２００個のサンプルに対してアーク放電、断線が発生することは無かった。これにより、前記最小距離Ｌ２が２．５ｍｍ以上であると、第１および第２のリード線４，５間にアーク放電が発生することが抑制される。
【００４３】
上述により、前記最小距離Ｌ２が２．５ｍｍ以上となるようにして、第２のリード線５の他端側５ｂを第１のリード線４の他端側４ｂよりもガラスバルブ２の他端側９ｂの位置から第１のリード線４に接近する方向に折曲することにより、第１および第２のリード線４，５間にアーク放電が発生することを抑制して、第１および第２のリード線４，５の封止部１０からガラスバルブ２の内部に延在する長さを短くすることができる。
【００４４】
また、第２のリード線５が折曲部１１ａで第１のリード線４に接近する方向に折曲されることにより、第１および第２のリード線４，５のそれぞれの一端側４ａ，５ａは、小さい所定の間隔Ｌ１（例えば２．５ｍｍ）でガラスバルブ２の一端側９ａに封着される。
【００４５】
上記により、ガラスバルブ２の内部空間の大きさを小さくすることができ、ガラスバルブ２の長手方向に対する幅を小さくすることができて、ガラスバルブ２（本体部９）を小形化することができる。すなわち、白熱電球１を小形化することができる。
【００４６】
そして、図１において、白熱電球１は、落下などにより衝撃が加わると、フィラメント３が振動するように作用する。しかし、フィラメント３の発光部３ａの長手方向の略中央部がアンカー線６の一端側６ａに支持され、アンカー線６の他端側６ｂがガラスバルブ２の一端側９ａに封着されているので、フィラメント３はアンカー線６の一端側６ａとともに振動することになって、振動しにくくなり、フィラメント３の発光部３ａの振れは小さくなる。
【００４７】
フィラメント３の発光部３ａの振れが小さいと、フィラメントコイルの変位が生じにくく、フィラメントコイル間のピッチが部分的でも縮まりにくくなる。この結果、ガラスバルブ２内にイオン化電圧が低いキセノンガスが８０〜９５容積％封入されていても、フィラメントコイル間にアーク放電が発生することが抑制される。アンカー線６は、衝撃等によってフィラメント３が振れることを規制して、アーク放電の発生によるフィラメント３の断線を防止する。
【００４８】
そして、白熱電球１は、ガラスバルブ２内に８０〜９５容積％のキセノンガスが封入されるので、フィラメント３の発光部３ａの温度を高くすることができ、従来の白熱電球よりもさらに発光効率が向上する。
【００４９】
次に、本発明の第２の実施形態について説明する。
【００５０】
図３は、本発明の第２の実施形態を示す白熱電球の一部切り欠き概略正面図である。なお、図１（ａ）と同一部分には同一符号を付して説明は省略する。
【００５１】
図３に示す白熱電球１４は、図１（ａ）に示す白熱電球１において、アンカー線６を用いずに、ガラスバルブ２（本体部９）の内部に延在する第１および第２のリード線４，５のそれぞれの一端側４ａ，５ａに跨ってガラスビード１５が配設されている。
【００５２】
第２のリード線５の他端側５ｂが第１のリード線４の他端側４ｂよりもガラスバルブ２の他端側９ａの位置から第１のリード線４に接近する方向に折曲されて、折曲部１１ｂがフィラメント３の一端側３ｂの側に位置することにより、ガラスバルブ２が小形化されても、第１および第２のリード線４，５のガラスバルブ２の一端側９ａから互いに平行に延在する長さが所定長確保される。この第１および第２のリード線４，５の所定長の確保により、互いに平行に延在している第１および第２のリード線４，５のそれぞれの一端側４ａ，５ａに跨ってガラスビード１５を配設することができる。
【００５３】
そして、白熱電球１４の落下などによる衝撃がフィラメント３に加わると、フィラメント３がフィラメント３を支持している第１および第２のリード線４，５とともに振動するように作用する。しかし、ガラスビード１５が第１および第２のリード線４，５の振れを小さくするので、フィラメント３は、振動しにくくなり、発光部３ａの振れは小さくなる。この結果、ガラスバルブ２内にイオン化電圧が低いキセノンガスが８０〜９５容積％封入されていても、フィラメントコイル間にアーク放電が発生することが抑制されて、フィラメント３の断線が防止される。
【００５４】
次に、本発明の第３の実施形態について説明する。
【００５５】
図４は、本発明の第３の実施形態を示す照明器具の一部切り欠き正面図である。なお、図１と同一部分には同一符号を付して説明は省略する。
【００５６】
図４に示す照明器具１６は、天井１８などの造営物に埋設されるダウンライトであり、器具本体１８、ランプソケット１９および図１に示す白熱電球１を有して構成されている。器具本体１８は、円筒体２０に天板２１などを有して形成され、天板２１の内面に支持金具２２を配設している。支持金具２２には、ランプソケット１９が取り付けられている。
【００５７】
また、器具本体１８は、円筒体２０の下部２０ａに円状であって断面逆台形の枠体２３を配設し、内部に白熱電球１を包囲するようにして反射板２４，２５を配設している。円筒体２０の外面２０ｂには取り付け用の板ばね２６，２６が配設され、天板２１の上面には、外部電源の電源線が接続されている電源端子台２７が取り付けられている。
【００５８】
白熱電球１が点灯すると、白熱電球１からの放射光が直接光および反射板２４，２５で反射された反射光となって、枠体２３の開口２３ａから外部空間に出射される。
【００５９】
そして、白熱電球１は、第１および第２のリード線４，５間のアーク放電の発生やフィラメント３の断線などが抑制されているので、白熱電球１の不所望な点灯や不点が防止される。これにより、照明器具１６は、照明光を安定的に出射する。
【図面の簡単な説明】
【００６０】
【図１】本発明の第１の実施形態を示す白熱電球であり、（ａ）は一部切り欠き概略正面図、（ｂ）は一部切り欠き概略側面図。
【図２】同じく、フィラメントおよびフィラメント支持体の配設図。
【図３】本発明の第２の実施形態を示す白熱電球の一部切り欠き概略正面図。
【図４】本発明の第３の実施形態を示す照明器具の一部切り欠き正面図。
【符号の説明】
【００６１】
１，１６…白熱電球
２…ガラスバルブ
３…フィラメント
４…第１のリード線
５…第２のリード線
６…アンカー線
７…ベース部
８…フィラメント支持体
１６…照明器具
１８…器具本体
１９…ランプソケット
【図１】
0004662160.tif 000002
【図２】
0004662160.tif 000003
【図３】
0004662160.tif 000004
【図４】
0004662160.tif 000005